(57)【要約】【課題】後側カバー部材をロータ本体に固定する構造において、ねじ部材の頭部が露出しないようにする。【解決手段】ロータ３は、ロータ本体３３と、第１及び第２カバー部材３６ａ，３６ｂと、第３カバー部材３７と、第１及び第２固定ブラケット３８ａ，３８ｂと、を備えている。ロータ本体は、筒状の連結部３０と、連結部の後端部の第１及び第２側から連結部と間隔を隔てて前方に延びる第１及び第２ロータアーム３１，３２と、を有している。第１及び第２カバー部材は、第１及び第２ロータアームの外方を覆う部材である。第３カバー部材は、第１及び第２カバー部材の後端部に接合され、連結部の後端部を覆う。第１及び第２固定ブラケットは、第１お螺微第２カバー部材に覆われるように第３カバー部材の前方に配置され、第３カバー部材をねじ部材５５ｃ，５５ｄによりロータ本体に固定するためのものである。【選択図】図４
2010172226.tif 000002
【特許請求の範囲】
【請求項１】
釣り糸を前方に繰り出すスピニングリールのピニオンギアに一体回転可能に連結されたロータであって、
前記ピニオンギアに一体回転可能に連結可能な筒状の連結部と、前記連結部の後端部の第１側から前記連結部と間隔を隔てて前方に延びる第１ロータアームと、前記後端部の第２側から前記連結部と間隔を隔てて前方に延びる第２ロータアームと、を有するロータ本体と、
前記第１及び第２ロータアームの少なくともいずれかの外方を覆う外側カバー部材と、
前記外側カバー部材の後端部に接合され、前記連結部の後端部を覆う後側カバー部材と、
前記外側カバー部材に覆われるように前記後側カバー部材の前方に配置され、前記後側カバー部材をねじ部材により前記ロータ本体に固定するための少なくとも一つの固定ブラケットと、
を備えたスピニングリールのロータ。
【請求項２】
前記固定ブラケットは、
前記後側カバー部材の縁部から前方に板状に突出する突出部と、
前記突出部の突出端から径方向外方に延び、前記ねじ部材が貫通可能な貫通孔が形成された固定部と、を有する、請求項１に記載のスピニングリールのロータ。
【請求項３】
前記外側カバー部材は、
前記第１ロータアームの外方を覆う第１カバー部材と、
前記第２ロータアームの外方を覆う第２カバー部材と、を有し、
前記固定ブラケットは、
前記第１カバー部材の前記後側カバー部材との接合部分の前方に前記固定部が配置される第１固定ブラケットと、
前記第２カバー部材の前記後側カバー部材との接合部分の前方に前記固定部が配置される第２固定ブラケットと、を有する、請求項２に記載のスピニングリールのロータ。
【請求項４】
前記第１固定ブラケット及び前記第２固定ブラケットは、前記後側カバー部材の前記ロータの回転軸芯を通る中心線を挟んで逆側に配置されている、請求項３に記載のスピニングリールのロータ。
【発明の詳細な説明】
【技術分野】
【０００１】
本発明は、ロータ、特に、釣り糸を前方に繰り出すスピニングリールのピニオンギアに一体回転可能に連結されたスピニングリールのロータに関する。
【背景技術】
【０００２】
スピニングリールには、釣り糸をスプールに巻き付けるためのロータが装着されている。ロータは、リール本体に回転自在に支持されたピニオンギアの前部に一体回転可能に連結されている。ロータは、ピニオンギアに一体回転可能に連結される連結部と、連結部の後端部の第１及び第２側から連結部と間隔を隔てて前方に延びる第１及び第２ロータアームとを有するロータ本体を備えている。この種のロータにおいて、ロータ本体の第１及び第２ロータアームの外方を各別に覆う第１及び第２カバー部材を有する外側カバー部材と、連結部の後端部を覆う後側カバー部材と、をさらに備えるものが従来知られている。（たとえば、特許文献１参照）。
【０００３】
外側カバー部材は、外方に凸に湾曲する曲面形状であり、後側カバー部材の両側は、外側カバー部材の後端部に接合されている。したがって、外側カバー部材と後側カバー部材との接合部分は三次元的な曲線で構成されている。
【０００４】
外側カバー部材は、第１及び第２ロータアームの外側面に、例えばタッピングビスや丸頭ビス等のねじ部材により固定されている。ねじ部材は、外側カバー部材の径方向外方から挿入されて第１及び第２ロータアームにねじ込まれている。
【０００５】
後側カバー部材は、ロータ本体の後面に、例えばタッピングビスや丸頭ビス等のねじ部材により固定されている。ねじ部材は、後側カバー部材の後方から挿入されてロータ本体にねじ込まれている。後側カバー部材には、リール本体のフランジ部を配置可能な円形の開口が形成されている。
【先行技術文献】
【特許文献】
【０００６】
【特許文献１】特開２００３−１２５６７８号公報
【発明の概要】
【発明が解決しようとする課題】
【０００７】
前記従来の構成では、外側カバー部材及び後側カバー部材の固定にねじ部材を使用し、ねじ部材を外側及び後方から外側カバー部材及び後側カバー部材に各別に装着している。このため、外側カバー部材の外側面及び後側カバー部材の後面にねじ部材を貫通されるための貫通孔が形成され、ねじ部材の頭部が露出する。ねじ部材の頭部が露出すると、その部分に餌等の異物や海水から析出した塩が付着するおそれがあり、ねじ部材の頭部が腐食や異物の腐敗臭が発生するおそれがある。
【０００８】
このようなねじ部材の頭部に付着した異物又は塩を除去するために、シャワー等で頭部を洗浄すれば、異物や塩を除去できる。外側カバー部材は、第１及び第２ロータアームに隙間無く装着されることが多い。このため、外側からシャワーで洗浄しても水がロータ内に入るおそれは少ない。また、水が頭部に付着しても、ロータが回転すると遠心力により水が飛ばされる。
【０００９】
しかし、後側カバー部材には、フランジ部を配置するための開口が設けられている。このため、頭部に付着した異物や塩を除去するために頭部をシャワーで洗浄すると、開口とフランジ部との隙間から逆転防止機構やロータ駆動機構等の内部の機構に水が浸入するおそれがある。水が内部に浸入すると内部の機構に水が付着してそれらが正常に動作しなくなるおそれがある。
【００１０】
本発明の課題は、後側カバー部材をロータ本体に固定する構造において、ねじ部材の頭部が露出しないようにすることにある。
【課題を解決するための手段】
【００１１】
発明１に係るスピニングリールのロータは、釣り糸を前方に繰り出すスピニングリールのピニオンギアに一体回転可能に連結されたロータであって、ロータ本体と、外側カバー部材と、後側カバー部材と、固定ブラケットと、を備えている。ロータ本体は、ピニオンギアに一体回転可能に連結可能な筒状の連結部と、連結部の後端部の第１側から連結部と間隔を隔てて前方に延びる第１ロータアームと、後端部の第２側から連結部と間隔を隔てて前方に延びる第２ロータアームと、を有している。外側カバー部材は、第１及び第２ロータアームの少なくともいずれかの外方を覆う部材である。後側カバー部材は、外側カバー部材の後端部に接合され、連結部の後端部を覆う後部材である。固定ブラケットは、外側カバー部材に覆われるように後側カバー部材の前方に配置され、後側カバー部材をねじ部材によりロータ本体に固定するための少なくとも一つのものである。
【００１２】
このロータでは、ロータ本体に後側カバー部材をねじ部材により固定する。このとき、固定ブラケットをねじ部材でロータ本体により固定することより、後側カバー部材をロータ本体に固定する。次に、外側カバー部材をロータ本体に固定する。これにより、ロータ本体の後側面と少なくともいずれかの外側面が外側カバー部材により覆われる。外側カバー部材を装着すると固定ブラケットが覆われて外部に露出しなくなる。ここでは、後側カバー部材を外側カバー部材で覆われる固定ブラケットを用いてねじ部材によりロータ本体に固定している。このため、外側カバー部材により後側カバー部材の固定部分が覆われてねじ部材が隠れ、ねじ部材の頭部が外部に露出しなくなる。
【００１３】
発明２に係るスピニングリールのロータは、発明１に記載のロータにおいて、固定ブラケットは、後側カバー部材の縁部から前方に板状に突出する突出部と、突出部の突出端から径方向外方に延び、ねじ部材が貫通可能な貫通孔が形成された固定部と、を有する。
【００１４】
この場合には、径方向外方に延びる固定部を貫通するねじ部材で後側カバー部材を固定できるので、固定部で後側カバー部材の前後方向を位置決めできる。このため、型成形により外側カバー部材及び後側カバー部材を形成しても、両カバー部材の接合部分を合わせやすくなる。
【００１５】
発明３に係るスピニングリールのロータは、発明２に記載のロータにおいて、外側カバー部材は、第１ロータアームの外方を覆う第１カバー部材と、第２ロータアームの外方を覆う第２カバー部材と、を有し、固定ブラケットは、第１カバー部材の後側カバー部材との接合部分の前方に固定部が配置される第１固定ブラケットと、第２カバー部材の後側カバー部材との接合部分の前方に固定部が配置される第２固定ブラケットと、を有する。
【００１６】
この場合には、２つの外側カバー部材と後側部材との間の２つの接合部分において、接合部分を合わせやすくなる。
【００１７】
発明４に係るスピニングリールのロータは、発明３に記載のロータにおいて、第１固定ブラケット及び第２固定ブラケットは、後側カバー部材のロータの回転軸芯を通る中心線を挟んで逆側に配置されている。
【００１８】
この場合には、第１固定ブラケット及び第２固定ブラケットが後側カバー部材の中心線を挟んで逆側に配置されているので、中心線を挟んで逆側に第１固定ブラケット及び第２固定ブラケットが配置される。このため、２つのロータアームの少なくともいずれかにベール反転機構等の機構部分を設けることにより中心線上に固定ブラケットを形成できない場合であっても、中心線を挟んで偏倚した位置に固定ブラケットを設けることによる回転バランスの劣化を防止できる。
【発明の効果】
【００１９】
本発明によれば、後側カバー部材を後側カバー部材の前方に一体形成された固定ブラケットを用いてねじ部材によりロータ本体に固定している。このため、外側カバー部材により固定ブラケットが覆われてねじ部材が隠れ、ねじ部材の頭部が外部に露出しなくなる。
【図面の簡単な説明】
【００２０】
【図１】本発明の一実施形態が採用されたスピニングリールの側面図。
【図２】その側面断面図。
【図３】そのロータの分解斜視図。
【図４】ロータ本体及び第１から第３カバー部材の断面側面分解図。
【図５】第３カバー部材の正面図。
【発明を実施するための形態】
【００２１】
＜全体構成及びリール本体の構成＞
図１及び図２において、本発明の一実施形態を採用したスピニングリールは、ハンドル１を回転自在に支持するリール本体２と、ロータ３と、スプール４とを備えている。ロータ３は、スプール４に釣り糸を巻き付けるものであり、リール本体２の前部に回転自在に支持されている。スプール４は、外周面に釣り糸を巻き取るものであり、ロータ３の前部に前後移動自在に配置されている。なお、ハンドル１は、図１に示すリール本体２の左側と、リール本体２の右側とのいずれにも装着可能である。
【００２２】
ハンドル１は、図１及び図２に示すように、ハンドル軸８ａ（図２）の先端に装着され、ハンドル軸８ａと交差する方向に延びるハンドルアーム８と、ハンドルアーム８の先端に固定された把手軸（図示せず）と、把手軸に回転自在に装着されたハンドル把手９とを備えている。
【００２３】
＜リール本体の構成＞
リール本体２は、図１及び図２に示すように、開口を有する、例えばアルミニウム合金製のリールボディ２ａと、開口を塞ぐようにリールボディ２ａに着脱自在に装着された、例えばアルミニウム合金製の蓋部材２ｂと、リールボディ２ａから斜め上前方に延びる竿取付脚２ｃと、を有している。リールボディ２ａは、内部に開口に連なる空間を有しており、その空間内には、ロータ３をハンドル１の回転に連動して回転させるロータ駆動機構５と、スプール４を前後に移動させて釣り糸を均一に巻き取るためのオシレーティング機構６とが設けられている。リールボディ２ａ及び蓋部材２ｂには、フランジ部２ｅが形成されているとともに、リールボディ２ａには、フランジ部２ｅからさらに前方に突出する円筒部２ｆが形成されている。リール本体２の後部は、ガード部材１７により覆われている。
【００２４】
＜ロータ駆動機構の構成＞
ロータ駆動機構５は、図２に示すように、ハンドル１のハンドル軸８ａが固定されたメインギア軸１０、メインギア軸１０とともに回転するメインギア１１と、メインギア１１に噛み合うピニオンギア１２とを有している。メインギア軸１０は、たとえば、ステンレス合金製の筒状の軸であり、リールボディ２ａ及び蓋部材２ｂに装着された軸受（図示せず）により両端支持されている。メインギア軸１０の両内周面には、ねじ方向が異なる雌ねじ部（図示せず）が形成されている。
【００２５】
ピニオンギア１２は、たとえば、ステンレス合金製の筒状の部材であり、その前部１２ａはロータ３の中心部を貫通しており、ナット１３によりロータ３と一体回転可能に固定されている。ピニオンギア１２は、その軸方向の中間部と後端部とが、リールボディ２ａに間隔を隔てて装着された軸受１４ａ，１４ｂによりリールボディ２ａに回転自在に支持されている。
【００２６】
＜オシレーティング機構の構成＞
オシレーティング機構６は、スプール４の中心部にドラグ機構６０を介して連結されたスプール軸１５を前後方向に移動させてスプール４を同方向に往復移動させるための機構である。オシレーティング機構６は、にスプール軸１５の下方に平行に配置された螺軸２１と、螺軸２１に沿って前後方向に移動するスライダ２２と、螺軸２１の先端に固定された中間ギア２３とを有している。螺軸２１は前後方向に配置されており、リールボディ２ａに回転自在に支持されている。
【００２７】
スライダ２２にはスプール軸１５の後端が回転不能に固定されている。スライダ２２は、リールボディ２ａに前後方向に沿って配置された２本のガイド軸（図示せず）により前後方向に案内されている。中間ギア２３は、ピニオンギア１２に噛み合っている。
【００２８】
スプール軸１５は、ピニオンギア１２の中心部を貫通して配置されている。スプール軸１５は、ピニオンギア１２の内部をオシレーティング機構６により前後に往復移動する。スプール軸１５は、中間部がナット１３内に装着された軸受１６により、後部がピニオンギア１２の後部内周面により、回転自在かつ軸方向移動自在に支持されている。スプール軸１５がピニオンギア１２と相対回転しながら前後移動するときに、ピニオンギア１２にスプール軸１５がかじりつくのを防止するために、スプール軸１５の表面には、無電解Ｎｉメッキが施されている。スプール軸１５の先端には、図３に示すように、互いに平行な面で構成された回り止めのための係止面１５ａと、ドラグ調整用の雄ねじ部１５ｂとが形成されている。
【００２９】
＜ロータの構成＞
ロータ３は、図２〜図４に示すように、ピニオンギア１２に一体回転可能に連結されたロータ本体３３と、ロータ本体３３に揺動自在に装着されたベールアーム３４と、を有している。ロータ本体３３は、ピニオンギア１２に連結される筒状の連結部３０と、連結部３０の後端部の第１側から連結部３０と間隔を隔てて前方に延びる第１ロータアーム３１と、連結部３０の後端部の第１側と対向する第２側から連結部３０と間隔を隔てて前方に延びる第２ロータアーム３２と、を有している。ロータ本体３３は、たとえばアルミニウム合金製であり一体成形されている。
【００３０】
連結部３０の中間部には、壁部３０ａが形成されており、壁部３０ａの中央部にはボス部３０ｂが形成されている。ボス部３０ｂの中心部には貫通孔３０ｃが形成されており、この貫通孔３０ｃをピニオンギア１２の前部１２ａ及びスプール軸１５が貫通している。壁部３０ａの前部にロータ３をピニオンギア１２に固定するためのナット１３が配置されておる。連結部３０の後部には、リール本体２の前部を収納可能な円形空間を有する凹陥部３０ｄが形成されている。
【００３１】
第１ロータアーム３１は、連結部３０から外方に凸に湾曲して前方に延びており、連結部３０の周方向に広がり湾曲している。第２ロータアーム３２は、連結部３０から外方に凸に湾曲して前方に延びており、連結部３０との接続部は連結部３０の周方向に広がり湾曲している。なお、第２ロータアーム３２には、軽量化のために開口（図示せず）が形成されている。第１ロータアーム３１及び第２ロータアーム３２の後面には、後述する第３カバー部材３７を固定するためのねじ孔３１ａ，３２ａ（図４）が形成されている
また、ロータ３は、図３及び図４に示すように、第１及び第２ロータアーム３１，３２の外方を各別に覆う第１及び第２カバー部材（外側カバー部材の一例）３６ａ，３６ｂと、連結部３０の後端部を覆う第３カバー部材（後側カバー部材の一例）３７と、をさらに有している。さらに、ロータ３は、第３カバー部材３７と一体形成された第１固定ブラケット３８ａ及び第２固定ブラケット３８ｂを有している。
【００３２】
第１カバー部材３６ａは、外方に凸に湾曲する３次元曲面で構成された外側面を有している。第１カバー部材３６ａは、外側面から装着されるねじ部材５５ａにより、第１ロータアーム３１にロータ本体３３に固定されている。第１カバー部材３６ａは、第３カバー部材３７と隙間なく接合する３次元的に湾曲する接合面３６ｃを有している。第１カバー部材３６ａと第１ロータアーム３１との間には、ベール反転機構３９が設けられている。
【００３３】
第２カバー部材３６ｂは、外方に凸に湾曲する３次元曲面で構成された外側面を有している。第２カバー部材３６ｂは、外側面から装着されるねじ部材５５ｂにより、第２ロータアーム３２に固定されている。第２カバー部材３６ｂは、第３カバー部材３７と隙間なく接合する３次元的に湾曲する接合面３６ｄを有している。
【００３４】
第３カバー部材３７は、リール本体２のフランジ部２ｅを配置可能に中心に形成された円形の開口３７ａと、第１及び第２カバー部材３６ａ，３６ｂに各別に接合可能に両側に形成された接合面３７ｂ，３７ｃと、を有している。開口３７ａは、リール本体２のフランジ部２ｅを配置可能な凹陥部３０ｄを露出するように形成されている。第３カバー部材３７は、固定ブラケット３８ａ，３８ｂを貫通する２本のねじ部材５５ｃ，５５ｄにより、ロータ本体３３に固定されている。接合面３７ｂ，３７ｃは、３次元的に湾曲して接合面３６ｃ，３６ｄに各別に隙間なく接合している。
【００３５】
第１及び第２固定ブラケット３８ａ，３８ｂは、第１及び第２カバー部材３６ａ，３６ｃに各別に覆われるように第３カバー部材３７の前方に配置されている。固定ブラケット３８ａ，３８ｂは、第３カバー部材３７の前方に突出して第３カバー部材３７と一体形成されている。具体的には、第３カバー部材３７の接合面（縁部の一例）３７ｂ，３７ｃから前方に突出して一体形成されている。第１固定ブラケット３８ａは、第１ロータアーム３１側で第３カバー部材３７を固定するために設けられている。
【００３６】
第１固定ブラケット３８ａは、図５に示すように、接合面３７ｂの中心（ロータ３の回転軸芯Ｘを通る中心線Ｙ）から後方から見て右側（図５では、前方から見ているので左側）に偏倚して配置されている。これは、ベール反転機構３９との干渉を避けるためである。第１固定ブラケット３８ａは、図３〜図５に示すように、第３カバー部材３７の接合面３７ｂから前方に板状に延びる突出部３８ｃと、突出部３８ｃの突出端から径方向外方に延びる固定部３８ｄと、を有している。固定部３８ｄには、ねじ部材５５ｃが貫通可能な貫通孔３８ｅが形成されている。したがって、固定部３８ｄは、接合面３７ｂの前方に配置されている。
【００３７】
第２固定ブラケット３８ｂは、後方から見て接合面３７ｃの中心（ロータ３の回転軸芯Ｘを通る中心線Ｙ）から左側（図５では、前方から見ているので右側）に偏倚して配置されている。これは、第１固定ブラケット３８ａとの回転バランスを調整するためである。第２固定ブラケット３８ｂは、第３カバー部材３７の接合面３７ｃから前方に板状に延びる突出部３８ｆと、突出部３８ｆの突出端から径方向外方に延びる固定部３８ｇと、を有している。固定部３８ｇには、ねじ部材５５ｄが貫通可能な貫通孔３８ｈが形成されている。したがって、固定部３８ｇも、接合部３７ｃの前方に配置されている。
【００３８】
ロータ３を組み立てる際には、ベール反転機構３９及びベールアーム３４を取り付けた後、最初にねじ部材５５ｃ，５５ｄにより第３カバー部材３７をロータ本体３３の後面に固定する。このとき、ねじ部材５５ｃのねじ部分を第１固定ブラケット３８ａの貫通孔３８ｅに挿入し、ねじ孔３１ａにねじ込む。次に、ねじ部材５５ｄのねじ部分を第２固定ブラケット３８ｂの貫通孔３８ｈに挿入し、ねじ孔３１ｂにねじ込む。これにより、第３カバー部材３７の固定が完了する。
【００３９】
続いて、第１及び第２カバー部材３６ａ，３６ｂを第１ロータアーム３１及び第２ロータアーム３２に各別に固定する。第１及び第２カバー部材３６ａ，３６ｂは、第１及び第２固定ブラケット３８ａ，３８ｂを覆うように形成されているので、第１及び第２カバー部材３６ａ，３６ｂを装着すると、第１及び第２固定ブラケット３８ａ，３８ｂとそれらに装着されるねじ部材５５ｃ，５５ｄは、隠れて外観に表れなくなる。
【００４０】
＜ベールアームの構成＞
釣り糸案内機構であるベールアーム３４は、図２に示すように、第１及び第２ロータアーム３１，３２の先端に糸解放姿勢と糸巻き取り姿勢との間で揺動自在に装着されている。ベールアーム３４は、ベール反転機構３９（図３）により糸解放姿勢と糸巻き取り姿勢とに振り分けて付勢されている。
【００４１】
ベールアーム３４は、図３に示すように、第１ロータアーム３１の先端の外周側に揺動自在に装着された第１ベール支持部材４０と、第２ロータアーム３２の先端の外周側に揺動自在に装着された第２ベール支持部材４２と、第１ベール支持部材４０の先端装着されたラインローラ４１と、を有している。また、ベールアーム３４は、第１ベール支持部材４０の先端に固定され第１ベール支持部材４０に片持ち支持された固定軸４３と、固定軸４３の先端側に配置された固定軸カバー４４と、固定軸カバー４４と第２ベール支持部材とを連結するベール４５と、を有している。さらにベールアーム３４は、固定軸４３を第１ベール支持部材４０に固定する固定ボルト５６を含む固定構造４６を有している。
【００４２】
第１ベール支持部材４０は、たとえばクロムメッキにより形成された金属皮膜により外側面が覆われたアルミニウム合金製の部材である。このクロムメッキにより表面が硬質になり、釣り糸の接触による外側面の傷付きを防止できる。第１ベール支持部材４０は、取付ボルト４９により第１ロータアーム３１に揺動可能に固定されている。第１ベール支持部材４０の先端には、固定ボルト５６が配置され、固定ボルトにより固定軸４３が固定されている。
【００４３】
固定軸４３は、固定軸カバー４４と別体で形成されている。固定軸４３は、固定軸カバー４４を第１ベール支持部材４０に固定するとともに、ラインローラ４１を回転自在に支持するために設けられている。固定軸４３の先端部には、固定ボルト５６が螺合している。
【００４４】
固定軸カバー４４は、略Ｕ状に湾曲させた形状のベール４５と、たとえば鍛造により一体形成されている。固定軸カバー４４には、固定軸４３を装着可能である。ベール４５の先端は、第２ベール支持部材４２にカシメ固定されている。
【００４５】
ラインローラ４１は、軸方向に間隔を隔てて配置された２つの軸受４８ａ，４８ｂにより固定軸４３に回転自在に支持されている。
【００４６】
＜ベール反転機構の構成＞
ベール反転機構３９は、図３に示すように、第１ロータアーム３１と第１カバー部材３６ａとの間に配置されている。ベール反転機構３９は、ベールアーム３４糸開放姿勢から糸案内姿勢にロータ３の回転に連動して復帰させるとともに、両姿勢でその状態を保持する。
【００４７】
ベール反転機構３９は、第１ベール支持部材に揺動自在に装着されたトグルばね機構３９ａと、第１ロータアーム３１に概ね前後移動自在に装着された移動部材３９ｂと、移動部材３９ｂに接触可能にフランジ部２ｅに着脱自在に装着された切換部材（図示せず）とを有している。トグルばね機構３９ａは、糸開放姿勢と糸案内姿勢とにベールアーム３４を振り分けて付勢する。移動部材３９ｂは、ベールアーム３４が糸開放姿勢にあるときにロータ３が糸巻取方向に回転すると、切換部材３９ｃに接触してベールアーム３４を糸開放姿勢側に移動させる。
【００４８】
＜逆転防止機構の構成＞
図２に示すように、ロータ３の連結部３０の内部にはロータ３の逆転を禁止するための逆転防止機構５０が配置されている。逆転防止機構５０は、内輪が遊転するローラ型の第１ワンウェイクラッチ５１と、ピニオンギア１２の外周側に配置された爪式の第２ワンウェイクラッチ５２と、を有している。第１ワンウェイクラッチ５１は、リールボディ２ａの円筒部２ｆ内に装着され、円筒部２ｆに回転不能に装着された外輪５１ａと、ピニオンギア１２に回転自在に装着された内輪５１ｂと、両輪５１ａ，５１ｂの間で内輪５１ｂが糸繰り出し方向に回転すると両輪５１ａ，５１ｂの間にくい込む転動体５１ｃと、を備えている。第１ワンウェイクラッチ５１は、ローラ型のため、ロータ３の逆転を瞬時に禁止できる。しかし、ローラ型の第１ワンウェイクラッチ５１は、許容伝達トルクが小さい。そこで、許容伝達トルクが大きい爪式の第２ワンウェイクラッチ５２が設けられている。
【００４９】
第２ワンウェイクラッチ５２は、図２に示すように、ピニオンギア１２のギア歯１２ｃに近接して配置されている。第２ワンウェイクラッチ５２は、ロータ３に糸繰り出し方向の強い負荷が作用した場合、第１ワンウェイクラッチ５１が滑って逆転したときに作動する補助用のワンウェイクラッチである。
【００５０】
この逆転防止機構５０は、ロータ３の糸繰り出し方向の逆転を常時禁止しており、逆転を許可する状態をとることはない。
【００５１】
＜スプールの構成＞
スプール４は、図２に示すように、ロータ３の第１ロータアーム３１と第２ロータアーム３２との間に配置されており、スプール軸１５の先端に回転自在に支持されている。スプール４は、スプール軸１５に装着され外周に釣り糸が巻かれる、たとえばアルミニウム合金製の糸巻き胴部４ａと、糸巻き胴部４ａの前部及び後部に一体で形成された前後のフランジ部４ｂ，４ｃと、後フランジ部４ｃに一体形成された筒状のスカート部４ｄと、を有している。スプール４の内部には、設定されたドラグ力がスプール４に作用するようにスプール４を制動するドラグ機構６０と、ドラグ作動時に発音するドラグ発音機構８５と、が収納されている。
【００５２】
＜ドラグ機構の構成＞
ドラグ機構６０は、図２に示すように、スプール４の糸繰り出し方向への回転を制動してスプール４にドラグ力を作用させるための機構である。ドラグ機構６０は、スドラグ力を手で調整するためのドラグつまみ組立体７０と、ドラグつまみ組立体７０によりにスプール４側に押圧されてドラグ力が調整される、前後の摩擦部７１，７２と、を備えている。ドラグつまみ組立体７０は、スプール4の前部に配置されている。前摩擦部７１は、スプール４の糸巻き胴部４ａの内部に配置され、後摩擦部７２は、後フランジ部４ｃの後方に配置されている。
【００５３】
＜リールの操作及び動作＞
キャスティング時には、ベールアーム３４を糸開放姿勢に反転させる。これにより第１ベール支持部材４０及び第２ベール支持部材４２が揺動する。この状態で釣り竿を握る手の人差し指で釣り糸を引っかけながら釣り竿をキャスティングする。すると釣り糸は仕掛けの重さにより勢いよく放出される。この状態でハンドル１を糸巻取方向に回転させると、ロータ駆動機構５によりロータ３が糸巻取方向に回転し、ベールアーム３４がベール反転機構３９により糸巻取位置に復帰し、釣り糸がベール４５からラインローラ４１に移動してスプール４に巻き付けられる。このとき、第１及び第２固定ブラケット３８ａ，３８ｂが回転バランスを考慮して配置されているので、第１及び第２固定ブラケット３８ａ，３８ｂに起因する回転バランスの劣化を防止できる。
【００５４】
＜特徴＞
（Ａ）ロータ本体３３の後面をカバーする第３カバー部材３７を固定するために設けられた第１及び第２固定ブラケット３８ａ，３８ｂが第１及び第２カバー部材３６ａ，３６ｂにより覆われるように構成されている。これにより、ロータ本体３３の外側面が第１及び第２カバー部材３６ａ，３６ｂにより覆われるとともに、第１及び第２固定ブラケット３８ａ，３８ｂが覆われて外部に露出しなくなる。そして、第１及び第２カバー部材３６ａ，３６ｂで覆われる第１及第２固定ブラケット３８ａ，３８ｂを用いてねじ部材５５ｃ，５５ｄによりロータ本体３３に固定している。このため、第１及び第２カバー部材３６ａ，３６ｂにより第３カバー部材３７の固定部分が覆われてねじ部材５５ｃ，５５ｄが隠れ、ねじ部材５５ｃ，５５ｄの頭部が外部に露出しなくなる。
【００５５】
（Ｂ）第１及び第２固定ブラケット３８ａ，３８ｂは、第３カバー部材３７の接合面３７ｂ，３７ｃから前方に板状に突出する突出部３８ｃ，３８ｆと、突出部３８ｃ，３８ｆの突出端から径方向外方に延び、ねじ部材５５ｃ，５５ｄが貫通可能な貫通孔３８ｅ，３８ｈが形成された固定部３８ｄ，３８ｇと、を各別に有する。
【００５６】
このため、径方向外方に延びる固定部３８ｄ，３８ｇを貫通するねじ部材５５ｃ，５５ｄで第３カバー部材３７を固定できるので、固定部３８ｄ，３８ｇで第３カバー部材３７８の前後方向を位置決めできる。このため、型成形により第１及び第２カバー部材３６ａ，３６ｂ並びに第３カバー部材３７を形成しても、第１及び第２カバー部材３６ａ，３６ｂ並びに第３カバー部材３７の接合部分を合わせやすくなる。
【００５７】
（Ｃ）第１固定ブラケット３８ａ及び第２固定ブラケット３８ｂは、第３カバー部材３７のロータ３の回転軸芯Ｘを通る中心線Ｙを挟んで逆側に配置されている。
【００５８】
この場合には、第１及び第２固定ブラケット３８ａ，３８ｂが後側カバー部材の中心線を挟んで逆側に配置されているので、中心線を挟んで逆側に貫通孔が形成される。このため、２つのロータアームの少なくともいずれかにベール反転機構等の機構部分を設けることにより中心線上に貫通孔を形成できない場合であっても、中心線Ｙを挟んで偏倚した位置に第１及び第２固定ブラケット３８ａ，３８ｂを設けることによる回転バランスの劣化を防止できる。
【００５９】
＜他の実施形態＞
以上、本発明の一実施形態について説明したが、本発明は上記実施形態に限定されるものではなく、発明の要旨を逸脱しない範囲で種々の変更が可能である。
【００６０】
（ａ）前記実施形態では、第１及び第２固定ブラケット３８ａ，３８ｂを第３カバー部材３７と一体形成したが、別体で形成してもよい。
【００６１】
（ｂ）前記実施形態では、第１及び第２ロータアーム３１，３２のいずれかにも外側カバー部材として第１及び第２カバー部材３６ａ，３６ｂを設けたが、いずれかのロータアームだけに外側カバー部材を設けてもよい。この場合、たとえば、外側カバー部材を有さない方では、たとえば弾性的に後側カバー部材を係止するようにしても良い。
【符号の説明】
【００６２】
３  ロータ
１２  ピニオンギア
３０  連結部
３１  第１ロータアーム
３２  第２ロータアーム
３３  ロータ本体
３６ａ  第１カバー部材
３６ｂ  第２カバー部材
３７  第３カバー部材
３８ａ，３８ｂ  第１及び第２固定ブラケット
３８ｃ，３８ｆ  突出部
３８ｄ，３８ｇ  固定部
３８ｅ，３８ｈ  貫通孔
【図１】
2010172226.tif 000003
【図２】
2010172226.tif 000004
【図３】
2010172226.tif 000005
【図４】
2010172226.tif 000006
【図５】
2010172226.tif 000007